(57)【要約】【課題】縦撮りで記録された動画像を正位置で滑らかに再生する。【解決手段】映像プロセス部１０３は、ビューア回転位置信号が「垂直」を表す信号である場合は、固体撮像装置１０２が出力した画像信号のうち、垂直方向に７２０画素、水平方向に４８０画素の領域を切り出し、時計回りに９０度回転した後、記録画像として記録部１０４へ出力する。記録部１０４は、画像信号とビューア回転位置信号を対にして記録媒体へ記録する。再生部１０６は、画像信号と記録方法判別信号を読み出し、画像処理部１０７へ出力する。記録方法判別信号が「垂直」を表す信号である場合、画像処理部１０７は、画像データを反時計回りに９０度回転した後、垂直画素数が４８０となるように、縦横比を維持しつつ縮小し、テレビモニタ１０８へ出力する。【選択図】　図１
2004040496.tif 000002
【特許請求の範囲】
【請求項１】
テレビジョン方式の有効垂直走査線数以上の有効垂直走査線数及びテレビジョン方式の有効水平画素数以上の有効水平画素数を有する固体撮像装置と、
当該固体撮像装置の出力画像を記録媒体に記録する記録装置であって、上記固体撮像装置の水平方向と記録画像の長辺方向とが一致した第１の記録方法と、上記固体撮像装置の垂直方向と記録画像の長辺方向とが一致した第２の記録方法とを選択可能な記録装置と、
当該記録媒体に記録される画像を再生する再生装置
とを具備することを特徴とする画像記録再生装置。
【請求項２】
当該記録装置は、当該第１の記録方法と当該当該第２の記録方法とを識別する記録方法識別信号と画像信号とを対の信号として記録し、当該再生装置は、当該記録方法識別信号が第２の記録方法を示す信号であった場合には、画像を加工して出力することを特徴とする請求項１に記載の画像記録再生装置。
【請求項３】
当該再生装置は、当該記録方法識別信号が当該第２の記録方法を示す信号であった場合には、画像を時計回りあるいは反時計回りに９０度回転し、９０度回転した画像の長辺方向の画素数を、テレビジョン方式の垂直走査線数以下になるように、縦横比を維持して縮小した後、出力することを特徴とする請求項２に記載の画像記録再生装置。
【請求項４】
当該再生装置は、当該記録方法識別信号が当該第２の記録方法を示す信号であった場合には、画像を飛び越し走査から順次走査に変換した後に出力することを特徴とする請求項２に記載の画像記録再生装置。
【請求項５】
当該再生装置は、当該記録方法識別信号が当該第２の記録方法を示す信号であった場合には、画像を時計回りあるいは反時計回りに９０度回転し、９０度回転した画像の長辺方向の画素数を、テレビジョン方式の垂直走査線数以下になるように、縦横比を維持して縮小した後、出力する処理と、画像を飛び越し走査から順次走査に変換した後に出力する処理を選択可能であることを特徴とする請求項２に記載の画像記録再生装置。
【請求項６】
更に、回転可能な表示装置を具備し、当該表示装置の回転位置に応じて、当該第２の記録方法と当該第２の記録方法とを選択して記録することを特徴とする請求項１乃至５の何れか１項に記載の画像記録再生装置。
【発明の詳細な説明】
【０００１】
【発明の属する技術分野】
本発明は、画像記録再生装置に関し、特には、多画素の固体撮像装置を有する、カメラ一体型動画像記録再生装置に用いて好適な画像記録再生装置に関する。
【０００２】
【従来の技術】
固体撮像装置を用いた画像記録再生装置であるビデオカメラは、一般にテレビモニタでの表示を前提としており、ＮＴＳＣ，ＰＡＬなどのテレビジョン方式に準拠した出力信号を得るように構成されている。また、テレビモニタは一般に据え置きを前提としており、ビデオカメラを約９０度回転した姿勢で撮影した、いわゆる縦撮りで記録した画像を再生すると、テレビモニタの表示は横寝の状態となり、視聴者にとっては非常に視聴しにくい表示となってしまう。
【０００３】
【発明が解決しようとする課題】
この問題を軽減する技術として、再生時に画像を９０度回転して表示するもの（特開平０５−０３７８８７号公報）があるが、インターレース動画の場合は、滑らかな動画が得られないという問題があった。
【０００４】
また、ビデオカメラは正位置での撮影を前提としているため、縦撮り撮影をするためには、撮影者がビデオカメラを構える姿勢が不自然となってしまう。
【０００５】
本発明は、上記従来の問題を解決するもので、縦撮りで記録された動画像を正位置で滑らかに再生して、視聴者が視聴しやすくするとともに、撮影時には、縦撮り撮影時の撮影者の負担を軽減する画像記録再生装置を提供することを目的とする。
【０００６】
【課題を解決するための手段】
この目的を達成するため、本発明の画像記録再生装置は、テレビジョン方式の有効垂直走査線数以上の有効垂直走査線数及びテレビジョン方式の有効水平画素数以上の有効水平画素数を有する固体撮像装置と、当該固体撮像装置の出力画像を記録媒体に記録する記録装置であって、上記固体撮像装置の水平方向と記録画像の長辺方向とが一致した第１の記録方法と、上記固体撮像装置の垂直方向と記録画像の長辺方向とが一致した第２の記録方法とを選択可能な記録装置と、当該記録媒体に記録される画像を再生する再生装置とを具備することを特徴とする。
【０００７】
【実施例】
以下、図面を参照して、本発明の実施例を詳細に説明する。
【０００８】
図１は本発明の一実施例の概略構成ブロック図を示す。１０１はレンズであり、１０２はレンズ１０１から入射された光学情報を電子画像信号へ変換する固体撮像装置であり、１０３は固体撮像装置１０２から出力された電子画像信号から記録に適した信号を生成する映像プロセス部であり、１０４は映像プロセス部１０３が出力した画像信号を記録媒体へ記録するための信号を生成する記録部であり、１０５は記録部１０４が出力した信号を記録する記録媒体であり、１０６は記録媒体１０５から信号を読み出し再生可能な画像信号を出力する再生部であり、１０７は表示するために画像を加工する画像処理部であり、１０８は画像処理部１０７が出力する画像信号を表示するテレビモニタである。
【０００９】
まず、動画像記録再生のおおまかな信号の流れを説明する。レンズ１０１から入射された光学情報は、固体撮像装置１０２によって電子画像信号へ変換され、映像プロセス部１０３へ入力される。映像プロセス部は、動画像記録に適した画角の画像信号を出力する。前記画像信号は記録部１０４へ入力され、圧縮処理及び符号化処理を行った後、記録媒体１０５へ記録される。再生部１０６は記録媒体１０５から読み出した信号に復号化処理及び伸長処理を行った後、画像信号を出力する。前記画像信号は、画像処理部１０７に入力され、様々な画像処理を行った後、テレビモニタ１０８へ出力し、テレビモニタ１０８は画像を表示する。
【００１０】
次に、本実施例の特徴的動作を詳細に説明する。記録時には、映像プロセス部１０３には、ビューア回転位置信号が入力されるようになっている。ビューアは、図２に示すように、長方形の表示部分の長辺が水平方向または垂直方向を向くように回転可能になっている。表示部分の長辺が垂直方向を向いているときは、前記ビューファ回転位置信号は「垂直」を表す信号となり、いわゆる「縦撮りモード」となる。映像プロセス部１０３は、ビューア回転位置信号が「垂直」を表す信号であった場合は、固体撮像装置１０２が出力した画像信号のうち、図３の斜線部分で示した領域のように、固体撮像装置１０２の垂直方向に７２０画素、水平方向に４８０画素の領域を切り出し、時計回りに９０度回転した後、記録画像として記録部１０４へ出力する。記録部１０４にも、ビューア回転位置信号が入力されており、記録部１０４は、画像信号と対にして記録媒体へ記録する。
【００１１】
再生部１０６は、画像信号と対になって記録されている記録方法判別信号を分離し、画像信号と共に画像処理部１０７へ出力する。記録方法判別信号が「垂直」を表す信号であった場合、画像処理部１０７は、画像データを反時計回りに９０度回転した後、垂直画素数が４８０となるように、縦横比を維持しつつ縮小し、テレビモニタ１０８へ出力する。テレビモニタ１０８の表示の様子は、図４（ａ）のようになる。また、画像処理部１０７には表示切替え信号が入力されており、記録方法判別信号が「垂直」であって、表示切替え信号が「横」を示す信号であった場合には、画像処理部１０７は、飛び越し走査形式の画像データを順次走査方式の画像データに変換した後、テレビモニタ１０８へ出力する。テレビモニタ１０８の表示は、図４（ｂ）のようになる。
【００１２】
【発明の効果】
以上の説明から容易に理解できるように、本発明によれば、撮影者が画像記録再生装置本体の姿勢を変えることなく、通常撮影と同じ姿勢で動画の縦撮りが可能な画像記録再生装置を提供できる。
【００１３】
また、縦撮り時には、あらかじめ９０度回転して記録し、再生時に元に戻すように回転して再生するので、記録時および再生時の飛び越し走査の方向が一致する。これにより、縦撮りで記録された画像を滑らかに再生できる。
【図面の簡単な説明】
【図１】本発明の一実施例の概略構成ブロック図である。
【図２】本実施例の画像記録再生装置の描写模式図である。
【図３】本実施例の固体撮像装置で得られる電子画像信号の概念図である。
【図４】本実施例のテレビモニタの表示例を示す図である。
【符号の説明】
１０１：レンズ
１０２：固体撮像装置
１０３：映像プロセス部
１０４：記録部
１０５：記録媒体
１０６：再生部
１０７：画像処理部
１０８：テレビモニタ
【図１】
2004040496.tif 000003
【図２】
2004040496.tif 000004
【図３】
2004040496.tif 000005
【図４】
2004040496.tif 000006